(57)【要約】【課題】基板上に配置された耐圧性の低い部分の保護が可能であり、しかも、製造歩留まりの改善が可能な配線基板を提供ことを目的とする。【解決手段】  複数の端子Ｔ１、Ｔ２…を有するコネクタ２１１を備えた駆動回路基板２１０と、コネクタ２１１に挿入可能な接続部２２１を備えたフレキシブル配線基板２２０と、を備え、接続部２２１は、端子Ｔ１と電気的に接続可能な電極Ｅ１と、電極Ｅ１よりフレキシブル配線基板２２０の挿入方向Ａに沿った先端２２０Ｐ側に延在し端子Ｔ２と電気的に接続可能な電極Ｅ２と、を有することを特徴とする。【選択図】      図３
2006351939.tif 000002
【特許請求の範囲】
【請求項１】
第１端子及び第２端子を有するコネクタを備えた第１基板と、
前記コネクタに挿入可能な接続部を備えた第２基板と、を備え、
前記接続部は、前記第１端子と電気的に接続可能な第１電極と、前記第１電極より前記第２基板の挿入方向先端側に延在し前記第２端子と電気的に接続可能な第２電極と、を有することを特徴とする配線基板。
【請求項２】
第１端子及び第２端子を有するコネクタを備えた第１基板と、
前記コネクタに挿入可能な接続部を備えた第２基板と、を備え、
前記接続部は、前記第１端子と電気的に接続可能な第１電極と、前記第２端子と電気的に接続可能な第２電極と、前記第２電極から前記第２基板の挿入方向先端まで延在するとともに前記第２端子と電気的に接続可能な延在配線と、を有することを特徴とする配線基板。
【請求項３】
第１端子及び第２端子を有するコネクタを備えた第１基板と、
前記コネクタに挿入可能な接続部を備えた第２基板と、を備え、
前記接続部は、前記コネクタへの挿入に伴い、前記第１端子と電気的に接続する第１電極と、前記第１端子と前記第１電極との接続に先立って前記第２端子に接触した後に前記第２端子と電気的に接続する第２電極と、を有することを特徴とする配線基板。
【請求項４】
前記第２端子は、接地されたことを特徴とする請求項１乃至３のいずれか１項に記載の配線基板。
【請求項５】
前記第２電極は、前記第１電極より前記接続部の端部側に配置されたことを特徴とする請求項１乃至３のいずれか１項に記載の配線基板。
【請求項６】
前記第２基板は、前記第１電極を介して供給される制御信号に基づいて画像を表示する表示パネルに接続されたことを特徴とする請求項１乃至３のいずれか１項に記載の配線基板。
【請求項７】
前記第１基板は、前記第１端子を介して供給する制御信号を生成する制御回路を備えたことを特徴とする請求項１乃至３のいずれか１項に記載の配線基板。
【請求項８】
第１導電部及び第２導電部を有する第１基板と、
前記第１導電部と電気的に接続可能な第３導電部及び前記第２導電部と電気的に接続可能な第４導電部を有する第２基板と、を備え、
前記第４導電部は、前記第１基板と前記第２基板との接続に際して、前記第１導電部と前記第３導電部との接続に先立って前記第２導電部に接触する構造を有したことを特徴とする配線基板。
【請求項９】
複数の導電部を有する配線基板であって、
少なくとも１つの導電部は、他の導電部よりも長く形成されており、その先端部は、他の導電部の先端部よりも配線基板の先端側に突出したことを特徴とする配線基板。
【発明の詳細な説明】
【技術分野】
【０００１】
この発明は、配線基板に係り、特に、２つの基板を電気的に接続するための接続構造に関する。
【背景技術】
【０００２】
平面表示装置は、画像を表示する表示パネルと、この表示パネルに対して画像を表示するのに必要な各種制御信号を供給する駆動回路基板と、を備えている。これらの表示パネルと駆動回路基板とは、フレキシブル配線基板を介して電気的に接続されている（例えば、特許文献１参照）。
【０００３】
すなわち、フレキシブル配線基板の一端は、異方性導電膜や半田などを介して表示パネルの一側縁に配置されたパッドと電気的に接続されている。フレキシブル配線基板の他端は、駆動回路基板のコネクタと接続可能な接続部を備えている。コネクタは、複数の端子を有している。接続部は、各端子にそれぞれ接続される複数の電極を有している。
【０００４】
接続部を構成する電極は、一般に、挿入方向に直交する同一直線上に並んでいる。このため、フレキシブル配線基板と駆動回路基板とを電気的に接続するために、接続部をコネクタに挿入した際には、接続部のすべての電極がコネクタの各端子と同時に接触する。
【特許文献１】特開２００４−１０９９６９号公報
【発明の開示】
【発明が解決しようとする課題】
【０００５】
接続対象の一方（例えば表示パネル）に静電気がたまっているときに、接触した電極と端子とを介して接続対象の他方（例えば駆動回路基板）に放電するおそれがある。上述したように、接続部をコネクタに挿入した際に、接続部のすべての電極がコネクタの各端子と同時に接触するような構成では、すべての電極及び端子を介して放電を生ずる可能性がある。このため、回路素子などの耐圧性の低い部分に接続された電極及び端子を介して放電を生ずると、この部分にダメージを与えるおそれがある。
【０００６】
また、表示装置の製造過程における上述したような放電現象は、製造歩留まりの低下を招くおそれがある。
【０００７】
この発明は、上述した問題点に鑑みなされたものであって、その目的は、基板上に配置された耐圧性の低い部分の保護が可能であり、しかも、製造歩留まりの改善が可能な配線基板を提供することにある。
【課題を解決するための手段】
【０００８】
この発明の第１の態様による配線基板は、
第１端子及び第２端子を有するコネクタを備えた第１基板と、
前記コネクタに挿入可能な接続部を備えた第２基板と、を備え、
前記接続部は、前記第１端子と電気的に接続可能な第１電極と、前記第１電極より前記第２基板の挿入方向先端側に延在し前記第２端子と電気的に接続可能な第２電極と、を有することを特徴とする。
【０００９】
この発明の第２の態様による配線基板は、
第１端子及び第２端子を有するコネクタを備えた第１基板と、
前記コネクタに挿入可能な接続部を備えた第２基板と、を備え、
前記接続部は、前記第１端子と電気的に接続可能な第１電極と、前記第２端子と電気的に接続可能な第２電極と、前記第２電極から前記第２基板の挿入方向先端まで延在するとともに前記第２端子と電気的に接続可能な延在配線と、を有することを特徴とする。
【００１０】
この発明の第３の態様による配線基板は、
第１端子及び第２端子を有するコネクタを備えた第１基板と、
前記コネクタに挿入可能な接続部を備えた第２基板と、を備え、
前記接続部は、前記コネクタへの挿入に伴い、前記第１端子と電気的に接続する第１電極と、前記第１端子と前記第１電極との接続に先立って前記第２端子に接触した後に前記第２端子と電気的に接続する第２電極と、を有することを特徴とする。
【発明の効果】
【００１１】
この発明によれば、基板上に配置された耐圧性の低い部分の保護が可能であり、しかも、製造歩留まりの改善が可能な配線基板を提供することができる。
【発明を実施するための最良の形態】
【００１２】
以下、この発明の一実施の形態に係る配線基板について図面を参照して説明する。なお、この実施の形態では、表示装置に備えられる配線基板について説明する。
【００１３】
すなわち、図１に示すように、表示装置は、平板状の表示パネル１００を備えている。この表示パネル１００は、画像を表示する表示エリア１０２を備えている。この表示エリア１０２は、マトリクス状に配置された複数の表示画素ＰＸによって構成されている。また、表示パネル１００は、表示エリア１０２を囲む周辺エリア１０４に、画像を表示するのに必要な各種駆動信号を生成する駆動回路（例えば信号線に映像信号を供給する信号線駆動回路や走査線に制御信号を供給する走査線駆動回路）ＤＣを備えている。
【００１４】
また、表示装置は、表示パネル１００に各種制御信号を供給するための配線基板２００を備えている。すなわち、配線基板２００は、表示パネル１００に対して画像を表示するのに必要な制御信号を供給する駆動回路基板（第１基板）２１０と、表示パネル１００と駆動回路基板２１０とを電気的及び機械的に接続するフレキシブル配線基板（第２基板）２２０とを備えている。
【００１５】
フレキシブル配線基板２２０の一端は、異方性導電膜や半田などを介して表示パネル１００の一側縁に配置されたパッドと電気的に接続されている。フレキシブル配線基板２２０の他端は、接続部２２１を備えている。一方、駆動回路基板２１０は、接続部２２１と接続可能なコネクタ２１１、制御信号を生成する制御回路２１２などを備えている。フレキシブル配線基板２２０の他端においてコネクタ２１１及び接続部２２１を介して接続された駆動回路基板２１０は、フレキシブル配線基板２２０を湾曲させることにより、表示パネル１００の裏面側に配置可能となる。
【００１６】
（第１実施形態）  
図２及び図３に示すように、接続部２２１は、コネクタ２１１に対して矢印Ａで示した挿入方向に挿入可能に構成されており、接続部２２１をコネクタ２１１に挿入することにより、互いに電気的及び機械的に接続される。
【００１７】
すなわち、コネクタ２１１は、導電部である複数の端子Ｔ１、Ｔ２、Ｔ３…を有している。これらの各端子Ｔは、駆動回路基板２１０上においてそれぞれ挿入方向Ａに延在するとともに、挿入方向Ａとは直交する方向Ｂに並んで配置されている。また、各端子Ｔは、駆動回路基板２１０上に配置された配線Ｗ１１、Ｗ１２、Ｗ１３…にそれぞれ接続されている。各端子Ｔの先端部すなわち接続部２２１との対向部は、すべて挿入方向Ａに直交する同一直線Ｌ１上に並んでいる。
【００１８】
接続部２２１は、コネクタ２１１の各端子Ｔとそれぞれ電気的に接続可能な導電部である複数の電極Ｅ１、Ｅ２、Ｅ３…を有している。これらの各電極Ｅは、フレキシブル配線基板２２０上においてそれぞれ挿入方向Ａに延在するとともに、挿入方向Ａとは直交する方向Ｂに並んで配置されている。また、各電極Ｅは、フレキシブル配線基板２２０上に配置された配線Ｗ２１、Ｗ２２、…にそれぞれ接続されている。各電極Ｅの先端部すなわちコネクタ２１１との対向部は、すべてが挿入方向Ａに直交する同一直線Ｌ２上に並ばない。
【００１９】
この第１実施形態においては、少なくとも１つの電極Ｅ２は、他の電極（Ｅ１、Ｅ３…）よりフレキシブル配線基板２２０上において挿入方向Ａの先端２２０Ｐ側に延在している。つまり、電極Ｅ２は、他の電極よりも長く形成されており、他の電極の先端部が並ぶ直線Ｌ２よりもフレキシブル配線基板２２０の先端２２０Ｐ側に突出している。
【００２０】
このような形状の電極Ｅ２に接続された配線Ｗ２２、及び、端子Ｔ２に接続された配線Ｗ１２は、信号を供給するための配線以外であることが望ましく、例えば、固定電位の電源供給配線や、接地された配線であることが望ましい。この第１実施形態では、配線Ｗ１２は、接地されている。
【００２１】
このような構成において、駆動回路基板２１０とフレキシブル配線基板２２０との接続のために、接続部２２１をコネクタ２１１に挿入した際、電極Ｅ１は端子Ｔ１と電気的に接続され、同様に、電極Ｅ２は端子Ｔ２と電気的に接続され、電極Ｅ３は端子Ｔ３と電気的に接続される。このとき、電極Ｅ２は、他の電極と対応する端子とが電気的に接続されるのに先立って、端子Ｔ２と接触した後に端子Ｔ２と電気的に接続される。
【００２２】
このため、接続対象である一方に静電気がたまっていたとしても、接続部２２１のコネクタ２１１への挿入に際した静電気の放電現象は、電極Ｅ２と端子Ｔ２との接触によりこれらを介して生じ得ることになる。これらの電極Ｅ２及び端子Ｔ２は、接地されているため、放電現象が生じたとしても、回路素子などの静電気の放電によってダメージを受けやすい箇所（低耐圧部）への放電を避けることが可能となる。したがって、低耐圧部の保護が可能となるとともに、低耐圧部のダメージに起因した製造歩留まりの低下を抑制することが可能となる。
【００２３】
（変形例）  
上述したような接続部２２１のコネクタ２１１への挿入に際して、接続部２２１の挿入方向Ａと、接続部２２１における各電極Ｅが延在する方向とが、必ずしも一致するとは限らない。挿入方向Ａと電極Ｅの延在方向Ａ’とが非平行である場合、図３に示したように複数の電極のうちの中央部に位置する電極Ｅ２が必ずしも他の電極よりも先に対応する端子Ｔ２に接触するとは限らない。
【００２４】
そこで、この変形例１では、図４に示すように、接続部２２１の端部２２１Ｅ側に配置された電極Ｅ１を延在方向Ａ’に沿って他の電極よりも長く形成し、他の電極の先端部よりもフレキシブル配線基板２２０の先端２２０Ｐ側に突出させている。より望ましくは、接続部２２１の両端部２２１Ｅ側に配置されたそれぞれの電極Ｅ１及びＥｎを他の電極よりも長く形成する。
【００２５】
これにより、上述した第１実施形態の効果に加えて、挿入方向Ａと電極の延在方向Ａ’とが平行であるか否かにかかわらず、接地電位などの所望の電極及び端子を介した放電を誘導することが可能となる。
【００２６】
（第２実施形態）  
この第２実施形態においても、図５に示すように、接続部２２１は、コネクタ２１１に対して矢印Ａで示した挿入方向に挿入可能に構成されており、接続部２２１をコネクタ２１１に挿入することにより、互いに電気的及び機械的に接続される。なお、第１実施形態と同一の構成要素については、同一の参照符号を付して詳細な説明を省略する。
【００２７】
すなわち、コネクタ２１１は、複数の端子Ｔ１、Ｔ２、Ｔ３…を有している。各端子Ｔの先端部すなわち接続部２２１との対向部は、すべて挿入方向Ａに直交する同一直線Ｌ１上に並んでいる。
【００２８】
接続部２２１は、コネクタ２１１の各端子Ｔとそれぞれ電気的に接続可能な複数の電極Ｅ１、Ｅ２、Ｅ３…を有している。各電極Ｅの先端部すなわちコネクタ２１１との対向部は、すべて挿入方向Ａに直交する同一直線Ｌ２上に並んでいる。
【００２９】
また、フレキシブル配線基板２２０については、電極及び配線の腐食を防止するためにこれらの表面にメッキ処理を施す場合がある。このため、接続部２２１は、図５に示すように、その先端２２０Ｐまで延在しメッキ処理を施すのに必要な延在配線ＥＷ１、ＥＷ２、ＥＷ３…を備えている。当然のことながら、これらの延在配線ＥＷは、各電極Ｅにそれぞれ接続されている。
【００３０】
この第２実施形態においては、少なくとも１つの電極Ｅ２に接続された延在配線ＥＷ２は、電極Ｅ２に対応する端子Ｔ２と電気的に接続可能に形成されている。すなわち、各延在配線ＥＷは、それぞれ各電極Ｅからフレキシブル配線基板２２０の先端２２０Ｐまで延在しているが、接続部２２１をコネクタ２１１に挿入した際、延在配線ＥＷ２は端子Ｔ２と接触した後に端子Ｔ２と電気的に接続されるのに対して、他の延在配線（ＥＷ１、ＥＷ３…）は対応する端子（Ｔ１、Ｔ３…）とは接触しないようなパターンに形成されている。
【００３１】
より詳細に説明すると、延在配線ＥＷ２は、電極Ｅ２からフレキシブル配線基板２２０の先端２２０Ｐに向かって電極Ｅ２の延在方向Ａ’と平行に直線状に配置されている。これに対して、他の延在配線は、対応する電極の延在方向Ａ’と平行な直線上を避けて迂回するように配置されている。
【００３２】
このような形状の延在配線ＥＷ２に接続された電極Ｅ２及び配線Ｗ２２、及び、端子Ｔ２に接続された配線Ｗ１２は、信号を供給するための配線以外であることが望ましく、例えば、固定電位の電源供給配線や、接地された配線であることが望ましい。この第２実施形態では、配線Ｗ１２は、接地されている。
【００３３】
このような構成において、駆動回路基板２１０とフレキシブル配線基板２２０との接続のために、接続部２２１をコネクタ２１１に挿入した際、延在配線ＥＷ２は、他の延在配線が対応する端子と接触しない一方で、他の電極と対応する端子とが電気的に接続されるのに先立って、端子Ｔ２と接触した後に電極Ｅ２とともに端子Ｔ２と電気的に接続される。
【００３４】
このため、接続対象である一方に静電気がたまっていたとしても、接続部２２１のコネクタ２１１への挿入に際した静電気の放電現象は、延在配線ＥＷ２と端子Ｔ２との接触によりこれらを介して生じ得ることになる。これらの延在配線ＥＷ２及び端子Ｔ２は、接地されているため、放電現象が生じたとしても、回路素子などの静電気の放電によってダメージを受けやすい箇所（低耐圧部）への放電を避けることが可能となる。したがって、低耐圧部の保護が可能となるとともに、低耐圧部のダメージに起因した製造歩留まりの低下を抑制することが可能となる。
【００３５】
なお、この第２実施形態においても、変形例で説明したように、挿入方向Ａにかかわらず、接地電位などの所望の延在配線及び端子を介した放電を誘導するために、接続部２２１の端部２２１Ｅ側に配置された電極Ｅ１の延在配線ＥＷ１を対応する端子と最優先に接触可能に形成することが望ましい。さらに、接続部２２１の両端部２２１Ｅ側に配置されたそれぞれの延在配線ＥＷ１及びＥＷｎを対応する端子と接触可能に形成することがより望ましい。
【００３６】
（第３実施形態）  
上述した各実施形態においては、所望する電極または延在配線と端子とが接触した際に放電を誘導するよう、所望の電極または延在配線を他よりも先に端子と接触可能な形状に構成した例について説明したが、この発明は、このような例に限定されるものではない。この第３実施形態においては、所望の端子を他の端子よりも先に電極（または延在配線）と接触可能な形状に構成している。
【００３７】
すなわち、図６に示すように、コネクタ２１１は、複数の端子Ｔ１、Ｔ２、Ｔ３…を有している。各端子Ｔの先端部すなわち接続部２２１との対向部は、すべてが挿入方向Ａに直交する同一直線Ｌ１上に並ばない。
【００３８】
接続部２２１は、コネクタ２１１の各端子Ｔとそれぞれ電気的に接続可能な複数の電極Ｅ１、Ｅ２、Ｅ３…を有している。各電極Ｅの先端部すなわちコネクタ２１１との対向部は、すべてが挿入方向Ａに直交する同一直線Ｌ２上に並んでいる。
【００３９】
この第３実施形態においては、少なくとも１つの端子Ｔ２は、他の端子（Ｔ１、Ｔ３…）より駆動回路基板２１０上において挿入方向Ａの先端２１０Ｐ側に延在している。つまり、端子Ｔ２は、他の端子よりも長く形成されており、他の端子の先端部が並ぶ直線Ｌ２よりも駆動回路基板２１０の先端２１０Ｐ側に突出している。
【００４０】
このような形状の端子Ｔ２に接続された配線Ｗ１２、及び、電極Ｅ２に接続された配線Ｗ２２は、信号を供給するための配線以外であることが望ましく、例えば、固定電位の電源供給配線や、接地された配線であることが望ましい。この第３実施形態では、配線Ｗ１２は、接地されている。
【００４１】
このような構成において、駆動回路基板２１０とフレキシブル配線基板２２０との接続のために、接続部２２１をコネクタ２１１に挿入した際、電極Ｅ２は、他の電極と対応する端子とが電気的に接続されるのに先立って、端子Ｔ２と接触した後に端子Ｔ２と電気的に接続される。
【００４２】
このため、上述した第１実施形態と同様の効果が得られる。
【００４３】
なお、この第３実施形態においても、変形例で説明したように、挿入方向Ａにかかわらず、接地電位などの所望の電極及び端子を介した放電を誘導するために、コネクタ２１１の端部２１１Ｅ側に配置された端子Ｔ１を対応する電極と最優先に接触可能に形成することが望ましい。さらに、コネクタ２１１の両端部２１１Ｅ側に配置されたそれぞれの端子Ｔ１及びＴｎを対応する電極と接触可能に形成することがより望ましい。
【００４４】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００４５】
例えば、上述した実施の形態において、表示装置は、有機ＥＬ（エレクトロルミネッセンス）表示装置などの自己発光型表示装置でも良いし、液晶表示装置であっても良い。有機ＥＬ表示装置の場合、表示パネル１００は、各画素ＰＸにおいて、画素回路及び画素回路によって駆動制御される表示素子を備えて構成されている。また、液晶表示装置の場合、表示パネル１００は、一対の基板間に液晶層を保持して構成され、各画素ＰＸにおいて、画素電極と対向電極との間に液晶層を保持した表示素子、画素電極に所定の電位を書き込むためのスイッチング素子などを備えて構成されている。
【図面の簡単な説明】
【００４６】
【図１】図１は、この発明の一実施の形態に係る配線基板を備えた表示装置の構成を概略的に示す図である。
【図２】図２は、図１に示した配線基板の第１実施形態に係る接続構造を概略的に示す斜視図である。
【図３】図３は、第１実施形態におけるコネクタと接続部との構造を概略的に示す平面図である。
【図４】図４は、変形例におけるコネクタと接続部との構造を概略的に示す平面図である。
【図５】図５は、第２実施形態におけるコネクタと接続部との構造を概略的に示す平面図である。
【図６】図６は、第３実施形態におけるコネクタと接続部との構造を概略的に示す平面図である。
【符号の説明】
【００４７】
１００…表示パネル、１０２…表示エリア、１０４…周辺エリア、２００…配線基板、２１０…駆動回路基板、２１１…コネクタ、２２０…フレキシブル配線基板、２２１…接続部、Ｅ（１、２、３、…）…電極、Ｔ（１、２、３、…）…端子、ＥＷ（１、２、３、…）…延在配線、ＰＸ…画素、
【図１】
2006351939.tif 000003
【図２】
2006351939.tif 000004
【図３】
2006351939.tif 000005
【図４】
2006351939.tif 000006
【図５】
2006351939.tif 000007
【図６】
2006351939.tif 000008